(57)【要約】【課題】ハンマーにより打撃を加えて大型ナットを着脱する際のハンマーの空打ち、ナット締付治具の損傷、および、ナット締付治具の落下等を確実に防止することができ、しかも、一人で大型ナットの着脱作業が行え、さらに、打撃力を大型ナットの締付力として確実に加えることができると共に、大きな打撃力にも耐えることができる大型ナット締付治具を提供する。【解決手段】一方の平板１と他方の平板２とからなる締付治具本体３と、着脱すべき大型ナットに締付治具本体３を固定する固定手段としての固定ボルト８およびナット９から構成され、一方の平板１の一端と他方の平板２の一端との間には間隔材５により間隔（Ｔ）が形成され、一方の平板１の他端と他方の平板２の他端とは互いに結合され、この結合部３Ａの打撃ポイント３Ｂには板材７が固定され、一方の平板１の一端には、大型ナットと係合する大型ナット用開口１Ａが形成されている。【選択図】図３
0003131902.tif 000002
【実用新案登録請求の範囲】
【請求項１】
一方の平板と他方の平板とからなる締付治具本体と、着脱すべき大型ナットに前記締付治具本体を固定する固定手段とから構成され、前記一方の平板の一端と前記他方の平板の一端との間には間隔が形成され、前記一方の平板の他端と前記他方の平板の他端とは互いに結合され、前記一方の平板の一端には、前記大型ナットと係合する大型ナット用開口が形成されていることを特徴とする大型ナット締付治具。
【請求項２】
前記固定手段は、前記他方の平板の一端から前記大型ナット内にねじ込まれるボルトと、前記ボルトに螺合するナットとから構成されていることを特徴とする、請求項１記載の大型ナット締付治具。
【請求項３】
前記一方の平板および前記他方の平板は、前記他方の平板を内側にして、くの字状に折れ曲がっていることを特徴とする、請求項１または２記載の大型ナット締付治具。
【請求項４】
前記一方の平板の他端と前記他方の平板の他端の結合部の両側面には、被打撃部材が固定されていることを特徴とする、請求項１から３の何れか１つに記載の大型ナット締付治具。
【考案の詳細な説明】
【技術分野】
【０００１】
この考案は、大型ナット締付治具、特に、ハンマーにより打撃を加えて大型ナットを締め付けたり緩めたり（以下、単に着脱という）する際のハンマーの空打ち、ナット締付治具の損傷、および、ナット締付治具の落下等を確実に防止することができ、しかも、一人で大型ナットの着脱作業が行え、さらに、打撃力を大型ナットの締付力として確実に加えることができると共に、大きな打撃力にも耐えることができる大型ナット締付治具に関するものである。
【背景技術】
【０００２】
例えば、火力発電設備や原子力発電設備に備えられた復水ポンプは、図５に示すように、ポンプケーシング１０内に配されたシャフト１１とシャフト１１に固定された複数個（この例では３個）のインペラ１２とを備えていて、図６に示すように、インペラ１２は、シャフト１１にインペラ締付ナット１３により強固に固定されている。
【０００３】
図７および図８に示すように、インペラ締付ナット１３は、先端部が半球状に形成された袋ナットからなり、その外周面には、一対の平面部１３Ａが相対して形成され、先端中心部には、緩み止めボルト１４のボルト孔１３Ｂが形成されている。緩み止めボルト１４は、ボルト孔１３Ｂを通ってシャフト１１の先端にねじ込まれる。
【０００４】
このような復水ポンプの補修時等においては、インペラ締付ナット１３を緩めてシャフト１１からインペラ１２を取り外し、そして、補修終了後、インペラ締付ナット１３を締め付けてシャフト１１にインペラ１２を固定する必要があった。
【０００５】
インペラ締付ナット１３の径は、２００ｍｍ以上、重量は、数十キロある。このような大型で重量のあるインペラ締付ナット１３を着脱するには、従来、図９に示すような大型の片口スパナ１５が使用されていた。
【０００６】
上記片口スパナ１５によるインペラ締付ナット１３の着脱は、以下のようにして行われていた。
【０００７】
先ず、インペラ締付ナット１３を緩めるには、図１０に示すように、一人の作業者が片口スパナ１５を手で持ち、もう一人の作業者がハンマー１６で片口スパナ１５の柄の部分を打撃して緩める。一方、インペラ締付ナット１３を締め付ける場合も同様にして、片口スパナ１５の柄に打撃を加えて締め付けていた。
【０００８】
大型ナットを着脱する別の大型ナット締付治具が実開平６−６６８号公報に開示されている。以下、これを従来締付治具といい、図面を参照しながら説明する。
【０００９】
図１１は、従来締付治具を示す正面図、図１２は、従来締付治具を側方から見た部分断面図、図１３は、従来締付治具によるナット着脱作業状態を示す側面図である。
【００１０】
従来締付治具は、リング状締付治具本体１７と、締付治具本体１７に放射状に固定された複数本のハンドル１８と、締付治具本体１７に放射状にねじ込まれた複数本の固定ボルト１９とから構成されている。
【００１１】
上記従来締付治具による大型ナット２０の着脱は、以下のようにして行われる。
【００１２】
先ず、大型ナット２０を緩めるには、図１３に示すように、シャフト２１にねじ込まれている大型ナット２０に、クレーン等の吊具２２により吊られた締付治具本体１７を固定ボルト１９を介して固定する。そして、ハンドル１８を手で回して大型ナット２０を緩める。一方、大型ナット２０を締め付ける場合には、吊具２２により吊り下げられた締付治具本体１７を固定ボルト１９を介して大型ナット２０に固定する。そして、ハンドル１８を手で回して大型ナット２０を締め付ける。
【００１３】
【特許文献１】実開平６−６６８号公報
【考案の開示】
【考案が解決しようとする課題】
【００１４】
ところが、片口スパナ１５を使用してインペラ締付ナット１３を着脱する場合には、以下のような問題があった。
【００１５】
（１）片口スパナ１５は、板状であるので、ハンマー１６による打撃ポイントが極めて狭く、空打ちする危険性があった。空打ちした場合には、片口スパナ１５を持っている作業者をハンマー１６により負傷させてしまう恐れがあった。
【００１６】
（２）片口スパナ１５は、使用するたびに口が開いてナット上面を滑りやすくなり、インペラ締付ナット１３を傷つける恐れがあった。
【００１７】
（３）インペラ締付ナット１３を緩める場合、ナット１３が緩んだ瞬間に重量のある片口スパナ１５がこれを持っている作業者の足元に落下して、作業者が怪我をする恐れがあった。
【００１８】
（４）片口スパナ１５を持つ作業者とハンマー１６を操作する作業者の２人が必要であった。
【００１９】
また、従来締付治具を使用してインペラ締付ナット１３を着脱する場合には、以下のような問題があった。
【００２０】
（ａ）インペラ締付ナット１３が六角ナットである場合には、固定ボルト１９により確実に締付治具本体１７をインペラ締付ナット１３に固定することができるが、図７に示すように、平面部が二面しか形成されていない半球状袋ナットの場合には、固定ボルト１９により確実に締付治具本体１７をインペラ締付ナット１３に固定することができない。
【００２１】
（ｂ）インペラ締付ナット１３をさらに強固に締め付ける場合には、ハンマーによりハンドル１８を打撃することが考えられるが、ハンドル１８は、手で操作するものであるので、ハンマーによる打撃には耐えられない。
【００２２】
従って、この考案の目的は、ハンマーにより打撃を加えて大型ナットを着脱する際のハンマーの空打ち、ナット締付治具の損傷、および、ナット締付治具の落下等を確実に防止することができ、しかも、一人で大型ナットの着脱作業が行え、さらに、打撃力を大型ナットの締付力として確実に加えることができると共に、大きな打撃力にも耐えることができる大型ナット締付治具を提供することにある。
【課題を解決するための手段】
【００２３】
この考案は、上記目的を達成するためになされたものであって、下記を特徴とするものである。
【００２４】
請求項１記載の考案は、一方の平板と他方の平板とからなる締付治具本体と、着脱すべき大型ナットに前記締付治具本体を固定する固定手段とから構成され、前記一方の平板の一端と前記他方の平板の一端との間には間隔が形成され、前記一方の平板の他端と前記他方の平板の他端とは互いに結合され、前記一方の平板の一端には、前記大型ナットと係合する大型ナット用開口が形成されていることに特徴を有するものである。
【００２５】
請求項２記載の考案は、請求項１記載の考案において、前記固定手段は、前記他方の平板の一端から前記大型ナット内にねじ込まれるボルトと、前記ボルトに螺合するナットとから構成されていることに特徴を有するものである。
【００２６】
請求項３記載の考案は、請求項１または２記載の考案において、前記一方の平板および前記他方の平板は、前記他方の平板を内側にして、くの字状に折れ曲がっていることに特徴を有するものである。
【００２７】
請求項４記載の考案は、請求項１から３の何れか１つに記載の考案において、前記一方の平板の他端と前記他方の平板の他端の結合部の両側面には、被打撃部材が固定されていることに特徴を有するものである。
【考案の効果】
【００２８】
この考案によれば、ハンマーにより打撃を加えて大型ナットを着脱する際のハンマーの空打ち、ナット締付治具の損傷、および、ナット締付治具の落下等を確実に防止することができ、しかも、一人で大型ナットの着脱作業が行え、さらに、打撃力を大型ナットの締付力として確実に加えることができると共に、大きな打撃力にも耐えることができる。
【考案を実施するための最良の形態】
【００２９】
この考案の大型ナット締付治具の一実施態様を、大型ナットとして、図７に示すような復水ポンプのインペラ締付ナットを例にとって、図面を参照しながら説明する。
【００３０】
図１は、この考案の大型ナット締付治具を示す正面図、図２は、この考案の大型ナット締付治具を示す平面図、図３は、この考案の大型ナット締付治具を示す斜視図、図４は、この考案の大型ナット締付治具によるインペラ締付ナットの締付作業状態を示す斜視図である。
【００３１】
図１から図３に示すように、この考案の大型ナット締付治具は、一方の平板１と他方の平板２とからなる締付治具本体３と、着脱すべきインペラ締付ナット１３に締付治具本体３を固定する固定手段４とから構成されている。
【００３２】
締付治具本体３の一方の平板１の一端と他方の平板２の一端との間には、２枚の板状間隔材５、６により間隔（Ｔ）が形成され、この間隔（Ｔ）内にインペラ締付ナット１３が入り込む。一方の平板１の他端と他方の平板２の他端とは互いに結合され、図４に示すように、この結合部３Ａの両側面がハンマー１６による打撃ポイント３Ｂとなる。この打撃ポイント３Ｂは、結合部３Ａが２枚の平板１、２から形成されているので、上述した一枚の鋼板からなる片口スパナ１５の打撃ポイントに比べて大幅に広い。すなわち、片口スパナ１５の打撃ポイントは、片口スパナ１５の板厚分であり、締付治具本体３の打撃ポイント３Ｂに比べて狭い。図３に示すように、結合部３Ａの両側面に、被打撃部材としての板材７を溶接等によって固定すれば、打撃ポイント３Ｂは、さらに広くなる。
【００３３】
一方の平板１の一端には、インペラ締付ナット１３が挿入されるナット挿入用開口１Ａが形成され、他方の平板２の一端には、固定手段４が取り付けられている。開口１Ａには、インペラ締付ナット１３の平面部１３Ａと係合する一対の直線部（Ｌ）が形成されている。これにより、開口１Ａに挿入されたインペラ締付ナット１３は、締付治具本体３と一体的に回転して、インペラ締付ナット１３の着脱が可能となる。
【００３４】
一方の平板１および他方の平板２は、他方の平板２を内側にして、くの字状に折れ曲がっている。すなわち、締付治具本体３全体が一方の平板１の開口１Ａが外側になるようにくの字状に折れ曲がっている。これは、以下の理由による。
【００３５】
本来、締付治具本体３は、直線状である方がハンマー１６による打撃に耐える強度上、好ましい。しかし、図４に示すように、ポンプケーシング１０の端面には、ポンプ吸引口（ベルマウス）２３を取り付けるためのボルト２４が多数本、突出しているので、締付治具本体３が直線状であると、このボルト２４と締付治具本体３とが干渉してしまい打撃できない恐れがある。しかし、締付治具本体３全体をくの字状に折れ曲げれば、ボルト２４と締付治具本体３との干渉を確実に避けることができる。
【００３６】
図３に示すように、固定手段４は、他方の平板２の一端に挿通される固定ボルト８と、固定ボルト８に螺合するナット９とから構成されている。固定ボルト８をインペラ締付ナット１３に形成された緩み止めボルト１４のボルト孔１３Ｂにねじ込んで、ナット９を締め付ければ、締付治具本体３がインペラ締付ナット１３に固定される。
【００３７】
このように構成されている、この考案の大型ナット締付治具によれば、以下のようにして、インペラ締付ナット１３の着脱が行われる。
【００３８】
先ず、インペラ締付ナット１３を緩めるには、インペラ締付ナット１３から緩み止めボルト１４を抜き取った後、締付治具本体３の一方の平板１の開口１Ａ内にインペラ締付ナット１３を挿入し、固定ボルト８をインペラ締付ナット１３のボルト孔１３Ｂにねじ込んでナット９を締め付ける。このようにして、締付治具本体３をインペラ締付ナット１３に固定したら、ハンマー１６により締付治具本体３の結合部３Ａの打撃ポイント３Ｂ（板材７）を打撃する。このときの打撃ポイント３Ｂは、図４のナット締付時の打撃ポイント３Ｂと反対側の打撃ポイントである。これによって、インペラ締付ナット１３が緩んで、インペラ締付ナット１３をシャフト１１から取り外すことができる。
【００３９】
一方、インペラ締付ナット１３を締め付けるには、緩める場合と同様にして、締付治具本体３をインペラ締付ナット１３に固定し、図４に示すように、ハンマー１６により締付治具本体３の結合部３Ａの反対側の打撃ポイント３Ｂ（反対側の板材７）を打撃する。これによって、インペラ締付ナット１３が締め付けられる。
【００４０】
このようにして、この考案の大型ナット締付治具によりインペラ締付ナット１３の着脱が行われるが、以下のような利点がもたらされる。
【００４１】
（イ）ハンマー１６による打撃ポイント３Ｂが広いので、空打ちする危険性がなくなる。
【００４２】
（ロ）インペラ締付ナット１３の全周が締付治具本体３の開口１Ａ内に入るので、片口スパナ１５のように使用するたびに口が開く恐れはない。
【００４３】
（ハ）締付治具本体３は、インペラ締付ナット１３に確実に固定されるので、締付治具本体３の落下の危険性はない。
【００４４】
（二）締付治具本体３は、インペラ締付ナット１３に固定されるので、作業者は、１人で済む。
【００４５】
（ホ）打撃ポイント３Ｂが広いので、打撃力を大型ナットの締付力として確実に加えることができる。
【００４６】
（へ）締付治具本体３は、２枚の平板１、２を連結したものからなるので、高い強度を有し、ハンマー１６による打撃に十分耐え得る。
【００４７】
以上は、この考案の大型ナット締付治具により、復水ポンプのシャフトに対してインペラ締付ナットを着脱する場合であるが、別の装置の大型ナットの着脱にも使用できることは勿論である。
【図面の簡単な説明】
【００４８】
【図１】この考案の大型ナット締付治具を示す正面図である。
【図２】この考案の大型ナット締付治具を示す平面図である。
【図３】この考案の大型ナット締付治具を示す斜視図である。
【図４】この考案の大型ナット締付治具によるインペラ締付ナットの締付作業状態を示す斜視図である。
【図５】復水ポンプを示す概略断面図である。
【図６】復水ポンプにおけるインペラ固定部分を示す概略断面図である。
【図７】インペラ締付ナットを示す斜視図である。
【図８】インペラ締付ナットにより固定されたインペラ部分を示す斜視図である。
【図９】片口スパナを示す斜視図である。
【図１０】片口スパナによるインペラ締付ナットの締付作業状態を示す図である。
【図１１】従来締付治具を示す正面図である。
【図１２】従来締付治具を側方から見た部分断面図である。
【図１３】従来締付治具によるナット着脱作業状態を示す側面図である。
【符号の説明】
【００４９】
１：一方の平板
１Ａ：ナット挿入用開口
２：他方の平板
３：締付治具本体
３Ａ：結合部
３Ｂ：打撃ポイント
４：固定手段
５：間隔材
６：間隔材
７：板材
８：固定ボルト
９：ナット
１０：ポンプケーシング
１１：シャフト
１２：インペラ
１３：インペラ締付ナット
１３Ａ：平面部
１３Ｂ：ボルト孔
１４：緩み止めボルト
１５：片口スパナ
１６：ハンマー
１７：締付治具本体
１８：ハンドル
１９：固定ボルト
２０：大型ナット
２１：吊具
２２：シャフト
２３：ポンプ吸引口
２４：ボルト
【図１】
0003131902.tif 000003
【図２】
0003131902.tif 000004
【図３】
0003131902.tif 000005
【図４】
0003131902.tif 000006
【図５】
0003131902.tif 000007
【図６】
0003131902.tif 000008
【図７】
0003131902.tif 000009
【図８】
0003131902.tif 000010
【図９】
0003131902.tif 000011
【図１０】
0003131902.tif 000012
【図１１】
0003131902.tif 000013
【図１２】
0003131902.tif 000014
【図１３】
0003131902.tif 000015